【手続補正書】
【提出日】令和3年3月24日(2021.3.24)
【手続補正１】
【補正対象書類名】特許請求の範囲
【補正対象項目名】全文
【補正方法】変更
【補正の内容】
【特許請求の範囲】
【請求項１】
複数の登録装置と複数の決済装置とを具備するチェックアウトシステムであって、
前記複数の登録装置はそれぞれ、
取引の内容を登録してその取引に関する決済情報を、当該の取引に関して証票を発行する必要がある場合には発行すべき証票に関する証票情報を付加して生成する登録手段と、
前記登録手段により生成された決済情報を、前記複数の決済装置のいずれが受諾すべきかを指定することなしに送信する送信手段と、
を具備し、
前記複数の決済装置はそれぞれ、
前記送信手段により送信された決済情報を、当該決済情報に証票情報が付加されているならば、当該決済情報を送信した前記送信手段が複数の前記登録装置のうちから予め定められた近隣登録装置に備えられている場合に受諾する受諾手段と、
前記受諾手段により受諾された決済情報に基づく決済のための決済処理を行う決済手段と、
取引に関するレシートを発行する第１の発行手段と、
レシートとは別の証票を発行する第２の発行手段と、
証票情報が付加されている決済情報に基づく決済のための決済処理を前記決済手段が実行する場合に、証票情報に基づく証票を発行するように前記第２の発行手段を制御する第１の制御手段と、
前記第２の発行手段が発行した証票が取り去られたことを確認する確認手段と、
前記第２の発行手段により証票が発行される場合には、当該発行された証票が取り去られたことが前記確認手段により確認された後に、レシートを発行するように前記第１の発行手段を制御する第２の制御手段と、
前記第２の発行手段により証票が発行される場合には、証票が発行されることを前記近隣登録装置に通知する通知手段と、
を具備し、
前記複数の登録装置はそれぞれ、
前記通知手段による通知を受けた場合に、その通知を行った前記通知手段が設けられた前記決済装置で証票が発行されることを前記登録装置の操作者に対して報知する報知手段、をさらに備える、
チェックアウトシステム。
【請求項２】
前記複数の決済装置のそれぞれに関して、前記複数の登録装置のうちで最も近くに設置されている登録装置が前記近隣登録装置として予め定められる、
請求項１に記載のチェックアウトシステム。
【請求項３】
前記受諾手段は、前記送信手段により送信された決済情報を、当該決済情報に証票情報が付加されていないならば、当該決済情報を送信した前記送信手段が複数の前記登録装置のうちの前記近隣登録装置として定められていない登録装置に備えられている場合にも受諾する、
請求項１又は請求項２に記載のチェックアウトシステム。
【請求項４】
証票情報が付加されていないものの予め定められた条件を満たしている決済情報に基づく決済のための決済処理を前記決済手段が実行する場合に、証票を発行するように前記第２の発行手段を制御する第３の制御手段、
をさらに備え、
前記通知手段は、前記第３の制御手段の制御の下に前記第２の発行手段により証票が発行される場合には、証票が発行されることを、前記複数の登録装置のうちから前記近隣登録装置とは別に予め定められた既定登録装置に通知する、
請求項１−請求項３のいずれか一項に記載のチェックアウトシステム。
【請求項５】
複数の決済装置とともにチェックアウトシステムを構成する登録装置であって、
取引の内容を登録してその取引に関する決済情報を、当該の取引に関して証票を発行する必要がある場合には発行すべき証票に関する証票情報を付加して生成する登録手段と、
前記登録手段により生成された決済情報を、前記複数の決済装置のうちのいずれが受諾すべきかを指定することなしに送信する送信手段と、
前記複数の決済装置のいずれかからの通知を受けた場合に、その通知を行った決済装置で証票が発行されることを前記登録装置の操作者に対して報知する報知手段と、
を具備する登録装置。
【請求項６】
取引の内容を登録してその取引に関する決済情報を、当該の取引に関して証票を発行する必要がある場合には発行すべき証票に関する証票情報を付加して生成する登録手段と、
前記登録手段により生成された決済情報を、前記複数の決済装置のうちのいずれが受諾すべきかを指定することなしに送信する送信手段と、
前記複数の決済装置のうちの決済情報を受諾した決済装置から証票情報に基づいて証票が発行されることの通知を受けた場合に、その通知を行った前記決済装置で証票が発行されることを操作者に対して報知する報知手段と、
をそれぞれ備えた複数の登録装置を含んだチェックアウトシステムで前記複数の決済装置の１つとして用いられる決済装置であって、
前記送信手段により送信された決済情報を、当該決済情報に証票情報が付加されているならば、当該決済情報を送信した前記送信手段が複数の前記登録装置のうちから予め定められた近隣登録装置に備えられている場合に受諾する受諾手段と、
前記受諾手段により受諾された決済情報に基づく決済のための決済処理を行う決済手段と、
取引に関するレシートを発行する第１の発行手段と、
証票情報が付加されている決済情報に基づく決済のための決済処理を前記決済手段が実行する場合に、レシートとは別の、証票情報に基づく証票を発行する第２の発行手段と、
前記第２の発行手段が発行した証票が取り去られたことを確認する確認手段と、
前記第２の発行手段により証票が発行される場合には、当該発行された証票が取り去られたことが前記確認手段により確認された後に、レシートを発行するように前記第１の発行手段を制御する制御手段と、
前記第２の発行手段により証票が発行される場合には、証票が発行されることを前記近隣登録装置に通知する通知手段と、
を具備した決済装置。
【手続補正２】
【補正対象書類名】明細書
【補正対象項目名】発明の名称
【補正方法】変更
【補正の内容】
【発明の名称】チェックアウトシステム、登録装置及び決済装置
【手続補正３】
【補正対象書類名】明細書
【補正対象項目名】０００１
【補正方法】変更
【補正の内容】
【０００１】
本発明の実施形態は、チェックアウトシステム、登録装置及び決済装置に関する。
【手続補正４】
【補正対象書類名】明細書
【補正対象項目名】０００５
【補正方法】変更
【補正の内容】
【０００５】
本発明が解決しようとする課題は、レシート及び領収書とは別の証票の取り忘れを防止できるチェックアウトシステム、登録装置及び決済装置を提供することである。
【手続補正５】
【補正対象書類名】明細書
【補正対象項目名】０００６
【補正方法】変更
【補正の内容】
【０００６】
実施形態のチェックアウトシステムは、登録手段、送信手段及び報知手段を備える複数の登録装置と、受諾手段、決済手段、第１の発行手段、第２の発行手段、第１の制御手段、確認手段、第２の制御手段及び通知手段を備える複数の決済装置とからなる。登録手段は、取引の内容を登録してその取引に関する決済情報を、当該の取引に関して証票を発行する必要がある場合には発行すべき証票に関する証票情報を付加して生成する。送信手段は、登録手段により生成された決済情報を、複数の決済装置のいずれが受諾すべきかを指定することなしに送信する。受諾手段は、送信手段により送信された決済情報を、当該決済情報に証票情報が付加されているならば、当該決済情報を送信した送信手段が複数の登録装置のうちから予め定められた近隣登録装置に備えられている場合に受諾する。決済手段は、受諾手段により受諾された決済情報に基づく決済のための決済処理を行う。第１の発行手段は、取引に関するレシートを発行する。第２の発行手段は、レシートとは別の証票を発行する。第１の制御手段は、証票情報が付加されている決済情報に基づく決済のための決済処理を決済手段が実行する場合に、証票情報に基づく証票を発行するように第２の発行手段を制御する。確認手段は、第２の発行手段が発行した証票が取り去られたことを確認する。第２の制御手段は、第２の発行手段により証票が発行される場合には、当該発行された証票が取り去られたことが確認手段により確認された後に、レシートを発行するように第１の発行手段を制御する。通知手段は、第２の発行手段により証票が発行される場合には、証票が発行されることを近隣登録装置に通知する。報知手段は、通知手段による通知を受けた場合に、その通知を行った通知手段が設けられた決済装置で証票が発行されることを登録装置の操作者に対して報知する。
【手続補正６】
【補正対象書類名】明細書
【補正対象項目名】００１８
【補正方法】変更
【補正の内容】
【００１８】
ＣＰＵ１２ａ、ＲＯＭ１２ｂ、ＲＡＭ１２ｃ及び補助記憶ユニット１２ｄは、伝送システム１２ｍにより接続されて、決済装置１２を制御するためのコンピュータを構成する。  ＣＰＵ１２ａは、上記のコンピュータの中枢部分に相当する。ＣＰＵ１２ａは、ＲＯＭ１２ｂ及びＲＡＭ１２ｃに記憶されたオペレーティングシステム、ミドルウェア及びアプリケーションプログラムに基づいて、決済装置１２としての各種の動作を実現するべく各部を制御する。
ＲＯＭ１２ｂは、上記のコンピュータの主記憶部分に相当する。ＲＯＭ１２ｂは、上記のオペレーティングシステムを記憶する。ＲＯＭ１２ｂは、上記のミドルウェア及びアプリケーションプログラムを記憶する場合もある。またＲＯＭ１２ｂは、ＣＰＵ１２ａが各種の処理を行う上で参照するデータを記憶する場合もある。
ＲＡＭ１２ｃは、上記のコンピュータの主記憶部分に相当する。ＲＡＭ１２ｃは、ＣＰＵ１２ａが各種の処理を行う上で参照するデータを記憶する。さらにＲＡＭ１２ｃは、ＣＰＵ１２ａが各種の処理を行う上で一時的に使用するデータを記憶しておく、いわゆるワークエリアとして利用される。
補助記憶ユニット１２ｄは、上記のコンピュータの補助記憶部分に相当する。補助記憶ユニット１２ｄは、ＣＰＵ１２ａが各種の処理を行う上で使用するデータ、あるいはＣＰＵ１２ａでの処理によって生成されたデータを保存する。補助記憶ユニット１２ｄとしては、例えばＥＥＰＲＯＭ、ＨＤＤ、あるいはＳＳＤなどを使用できる。
【手続補正７】
【補正対象書類名】明細書
【補正対象項目名】００３０
【補正方法】変更
【補正の内容】
【００３０】
さてＣＰＵ１２ａは、決済情報に基づく決済のための処理を実行することが可能であるときには、Ａｃｔ１４にてＹｅｓと判定し、Ａｃｔ１６へと進む。
Ａｃｔ１６においてＣＰＵ１２ａは、決済情報の送信元である登録装置１１に対して受諾通知を行う。ＣＰＵ１２ａは例えば、当該ＣＰＵ１２ａが備えられている決済装置１２を識別するための識別コードを含んだ通知情報を、決済情報の送信元である登録装置１１に宛ててＬＡＮ１３へと送信する。
【手続補正８】
【補正対象書類名】明細書
【補正対象項目名】００６１
【補正方法】変更
【補正の内容】
【００６１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、本願の当初の特許請求の範囲に記載された発明を付記する。
［付記１］  取引の決済のための決済処理を行う決済手段と、
前記取引に関するレシートを発行する第１の発行手段と、
前記レシートとは別の証票を発行する第２の発行手段と、
前記証票を発行する必要がある場合に、前記証票を発行するように前記第２の発行手段を制御する第１の制御手段と、
前記第２の発行手段が発行した前記証票が取り去られたことを確認する確認手段と、
前記第２の発行手段により前記証票が発行される場合には、前記確認手段により前記証票が取り去られたことが確認された後に、前記レシートを発行するように前記第１の発行手段を制御する第２の制御手段と、
を具備したことを特徴とする決済装置。
［付記２］  前記決済により釣銭が生じ、かつ前記第２の発行手段により前記証票が発行される場合には、前記確認手段により前記証票が取り去られたことが確認された後に、前記釣銭を払い出す払出手段、
をさらに備える付記１に記載の決済装置。
［付記３］  取引の内容の登録のための登録装置と、前記取引の決済のための複数の決済装置とを具備するチェックアウトシステムであって、
前記複数の決済装置はそれぞれ、
前記決済のための決済処理を行う決済手段と、
前記取引に関するレシートを発行する第１の発行手段と、
前記レシートとは別の証票を発行する第２の発行手段と、
前記証票を発行する必要がある場合に、前記証票を発行するように前記第２の発行手段を制御する第１の制御手段と、
前記第２の発行手段が発行した前記証票が取り去られたことを確認する確認手段と、
前記第２の発行手段により前記証票が発行される場合には、前記確認手段により前記証票が取り去られたことが確認された後に、前記レシートを発行するように前記第１の発行手段を制御する第２の制御手段と、
前記第２の発行手段により前記証票が発行される場合には、前記証票が発行されることを前記登録装置に通知する通知手段と、
を具備し
前記登録装置は、
前記登録のための登録処理を行う登録手段と、
前記通知手段による通知を受けた場合に、その通知を行った通知手段が設けられた決済装置で前記証票が発行されることを前記登録装置の操作者に対して報知する報知手段と、
を具備する、チェックアウトシステム。
［付記４］  前記チェックアウトシステムは、前記登録装置を複数含み、前記複数の決済装置にはそれぞれ、前記登録装置のうちの少なくとも１つが関連付けられ、
前記通知手段は、関連付けられた前記登録装置に対して通知を行う、
付記３に記載のチェックアウトシステム。
［付記５］  前記チェックアウトシステムは、前記登録装置をそれぞれ前記複数の決済装置とネットワークを介して通信可能に複数含み、前記複数の決済装置にはそれぞれ、前記登録装置のうちの少なくとも１つが関連付けられ、
前記複数の登録装置はそれぞれ、
前記登録処理の結果として得られる決済情報を、当該決済情報に基づく決済処理を実行する決済装置を指定せずに前記ネットワークへと送信する送信手段を備え、
前記複数の決済装置はそれぞれ、
前記送信手段により前記ネットワークへと送信された前記決済情報を、予め定められたルールに従って前記複数の決済装置の１つに設けられた決済手段により決済処理するために選択的に受信する受信手段を備え、
前記受信手段は、前記証票を発行する必要がある取引に関する決済情報については、前記関連付けられた登録装置から送信されたもののみを受信し、
前記通知手段は、前記受信手段により受信された前記決済情報を送信した前記登録装置に対して通知を行う、
付記３に記載のチェックアウトシステム。
［付記６］  取引に関するレシートを発行する第１の発行手段と、
前記レシートとは別の証票を発行する第２の発行手段と、を具備した決済装置を制御するためのコンピュータを、
前記取引の決済のための決済処理を行う決済手段と、
前記証票を発行する必要がある場合に、前記証票を発行するように前記第２の発行手段を制御する第１の制御手段と、
前記第２の発行手段が発行した前記証票が取り去られたことを確認する確認手段と、
前記第２の発行手段により前記証票が発行される場合には、前記確認手段により前記証票が取り去られたことが確認された後に、前記レシートを発行するように前記第１の発行手段を制御する第２の制御手段と、
して機能させるための制御プログラム。